(57)【要約】      （修正有）【課題】繰り返しの使用による踏み桟と脚柱の溶着部分の損傷があったとしても、ピンと挿通孔とによって踏み桟が脚柱から脱落することがなく、踏み桟を安定的に且つ堅牢に固定でき、踏み桟への負荷がピンにもかかるようになり、耐久性に優れ、構成簡素で取扱い易く、メンテナンスが容易で量産に適し、低廉で経済的な踏み桟と脚柱の連結構造を提供する。【解決手段】左右脚柱２間に複数の踏み桟１を溶接手段で連結する鋼製の脚立に於いて、脚柱２と踏み桟１の連結構造であって、踏み桟１の裏面所定位置に略Ｌ字状のピン１０を溶着し、脚柱２の所定位置にピン１０の先端部分が挿通可能な挿通孔１１を穿設し、ピン１０の先端部分が挿通孔１１に挿通した状態で、踏み桟１を脚柱２に溶着して構成する。【選択図】図３
0003137892.tif 000002
【実用新案登録請求の範囲】
【請求項１】
左右脚柱間に複数の踏み桟を溶接手段を利用して連結される鋼製の脚立に於いて、溶接部分が損傷した場合でも踏み桟の脱落を防止できるようにした脚柱と踏み桟の連結構造であって、踏み桟の裏面所定位置に略Ｌ字状のピンを溶着し、脚柱の所定位置にピンの先端部分が挿通可能な挿通孔を穿設し、ピンの先端部分が挿通孔に挿通された状態で、踏み桟を脚柱に溶着して構成したことを特徴とする鋼製脚立に於ける踏み桟と脚柱の連結構造。
【請求項２】
脚柱を丸パイプ材で構成し、踏み桟の左右端部に脚柱の外表面に合致する略円弧状の湾曲切欠を形成し、ピンの先端部分が湾曲切欠の略湾曲中心部分に配されるように構成したことを特徴とする請求項１記載の鋼製脚立に於ける踏み桟と脚柱の連結構造。
【考案の詳細な説明】
【技術分野】
【０００１】
本考案は、主に、建築現場等で使用される鋼製の脚立に於いて、左右脚柱間に溶接手段によって固定されている踏み桟が、繰り返しの使用による溶着部分の損傷（例えば、溶着部分に亀裂が入る等）があったとしても、脱落することがないようにし、更に、踏み桟をより安定的に且つ堅牢に固定でき、しかも、構成が簡素で、耐久性に優れ、取扱い易く、メンテナンスが容易で、量産に適し、低廉で、経済的となるように工夫した鋼製脚立に於ける踏み桟と脚柱の連結構造に関するものである。
【背景技術】
【０００２】
従来、この種の鋼製脚立にあっては、所定間隔隔てた左右脚柱間に複数の踏み桟を水平に配すると共に溶接手段によって固着するようにしたものが数多く提供されてきた。
ところが、これらは現場毎で繰り返し利用されること等から、溶着部分に亀裂等が発生することもあり、この亀裂が徐々に大きくなって、踏み桟に大きな負荷がかかった場合に、溶着部分が破断され、踏み桟が変形したり脱落したりして、大きな事故を招く虞があった。特に、溶着部分に生じる亀裂等は、その点検時に発見し難いものであった。
【０００３】
そのため、例えば、特許文献１に示すような脚立が提案されるようになった。すなわち、踏板の両端寄り部に脚柱貫通孔を透設し、該脚柱貫通孔に貫通する脚柱部分を溶接し、一対の脚柱間に亙って複数の踏板を架け渡してなる脚立において、踏板を断面門形または閉断面に形成し、脚柱貫通孔を踏板の両端の側辺に近接して位置させるとともに、脚柱貫通孔に貫通させた脚柱に当接または近接する側辺部分にスリットを脚柱に沿って開設し、該スリットを形成する側辺と脚柱の表面とを溶接したものである。
【０００４】
【特許文献１】実開平２−１１８０９８号
【考案の開示】
【考案が解決しようとする課題】
【０００５】
しかしながら、前述の如き脚立にあっては、溶接部分が増しただけであり、溶接部分に亀裂等が入った場合に、これを検知し難く、踏み桟に大きな負荷がかかった場合に、溶着部分が破断され、踏み桟が変形したり脱落したりして、大きな事故を招く虞を解消できるものではなかった。
【０００６】
そこで、本考案は、前述の如き難点等を解消できるようにし、踏み桟は脱落することがなくなり、踏み桟をより安定的に且つバランス良く固定でき、踏み桟と脚柱の連結状態がより堅牢で且つ強固となり、しかも、構成が簡素で、耐久性に優れ、取扱い易く、メンテナンスが容易で、量産に適し、低廉で、経済的な踏み桟と脚柱の連結構造を提供すべく案出されたものである。
【課題を解決するための手段】
【０００７】
しかして、前述の如き課題等を達成すべく、請求項１記載の連結構造にあっては、左右脚柱２間に複数の踏み桟１を溶接手段を利用して連結される鋼製の脚立に於いて、溶接部分が損傷した場合でも踏み桟１の脱落を防止できるようにした脚柱２と踏み桟１の連結構造であって、踏み桟１の裏面所定位置に略Ｌ字状のピン１０を溶着し、脚柱２の所定位置にピン１０の先端部分が挿通可能な挿通孔１１を穿設し、ピン１０の先端部分が挿通孔１１に挿通された状態で、踏み桟１を脚柱２に溶着して構成する手段を採用した。
【０００８】
また、請求項２記載の連結構造にあっては、脚柱２を丸パイプ材で構成し、踏み桟１の左右端部に脚柱２の外表面に合致する略円弧状の湾曲切欠を形成し、ピン１０の先端部分が湾曲切欠の略湾曲中心部分に配されるように構成する手段を採用した。
【考案の効果】
【０００９】
従って、請求項１の踏み桟１と脚柱２の連結構造によれば、繰り返しの使用による踏み桟１と脚柱２の溶着部分の損傷（例えば、溶着部分に亀裂が入る等）があったとしても、ピン１０と挿通孔１１とによって踏み桟１が脚柱２から脱落することがないものとなる。
更に、踏み桟をより安定的に且つ堅牢に固定でき、加えて、踏み桟１への負荷がピン１０にもかかるようになり、より耐久性の優れたものとなる。
しかも、構成が簡素で、取扱い易く、メンテナンスが容易で、量産に適し、低廉で、経済的な鋼製脚立に於ける踏み桟１と脚柱２の連結構造となる。
【００１０】
特に、ピン１０は略Ｌ字状に形成してあるので、踏み桟１の裏面部分に安定的に且つ強固に溶着できるようになると共に、踏み桟１自体を脚柱２に安定的に且つバランス良く固定きるようになる。加えて、踏み桟１に対するピン１０の回り止め効果が期待できるようになる。
【００１１】
また、請求項２の踏み桟１と脚柱２の連結構造によれば、踏み桟１端部を脚柱２により確実に溶着できるようになると共に、ピン１０の先端部分を挿通孔１１に挿通し易くなると共に、挿通孔１１に一旦挿通されたピン１０の先端部分は、簡単に挿通孔１１から抜けないようになる。
【考案を実施するための最良の形態】
【００１２】
以下、本考案を説明すると、次の通りである。
本考案は、左右脚柱２間に複数の踏み桟１を溶接手段を利用して連結される鋼製の脚立に於いて、溶接部分が損傷した場合でも踏み桟１の脱落を防止できるようにした脚柱２と踏み桟１の連結構造である。
具体的には、踏み桟１の裏面所定位置に略Ｌ字状のピン１０を溶着し、脚柱２の所定位置にピン１０の先端部分が挿通可能な挿通孔１１を穿設し、ピン１０の先端部分が挿通孔１１に挿通された状態で、踏み桟１を脚柱２に溶着して構成したものである。
しかも、脚柱２は、丸パイプ材で構成され、踏み桟１の左右端部には、脚柱２の外表面に合致する略円弧状の湾曲切欠が形成され、ピン１０の先端部分が湾曲切欠の略湾曲中心部分に配されるように構成されている。
【実施例】
【００１３】
本考案の連結構造が採用されている鋼製の脚立は、その上部を支点として折畳み可能な一対の梯子部と、この一対の梯子部に架設されると共に、一対の梯子部の下端がわの間隔を規制する（下端がわの開き限度を規制する）開き止め４とによって形成されており、梯子部夫々は、左右の脚柱２と、この脚柱２間の適宜位置に横架配設される複数の踏み桟１と（例えば、上段の踏み桟１及び下段の踏み桟１）、左右の脚柱２の上端部分に横架配設される天板３とを備えたものである。
【００１４】
前記踏み桟１は、例えば、鋼鈑等を適宜折曲して形成され、具体的には、平面から見て全体略幅広帯状で、且つその両端部分は、左右側方に行くに従って漸次幅狭となるように形成されている（図３参照）。しかも、踏み桟１の基板の前端縁には、幅広垂下片が折曲形成され、踏み桟１の基板の後端縁には、幅狭垂下片が折曲形成されており、縦断面略下向き溝形状となるように形成されている。加えて、幅広垂下片の下端部分は、その裏面側に折り返されており、踏み桟１自体の強度、剛性が増すように形成されている（図５参照）。
更に、踏み桟１の基板の左右端部には、脚柱２の外表面に合致する略円弧状の湾曲切欠が形成されており、この湾曲切欠部の湾曲縁と、幅広垂下片の左右端縁と、幅狭垂下片の左右端縁とを脚柱２外表面に溶着せしめられるように構成されている。
【００１５】
前記脚柱２は、例えば、鋼製の丸パイプで形成され、その所定位置に複数の挿通孔１１が穿設されている。
更に、脚柱２の上下端部には、例えば、合成樹脂製（或いは、ゴム製や適宜複合材でも良い）のエンドキャップ５が外嵌されている。すなわち、下方のエンドキャップ５は、床面等との滑りを防止すると共に、床面の損傷等を防止できるように設けられたもので、上方のエンドキャップ５は、脚柱２上端縁が人体等に直接接触しないように設けられたものである。
【００１６】
前記天板３は、例えば、鋼鈑等を適宜折曲して形成される基板と、この基板の左右端部に固着される左右側板と、この左右側板の外側面に固着される軸ピンとを備え、一方の天板３の左右側板を延設すると共に、この延設部分の先端を他方の天板３の左右側板に揺動自在に軸支することで、一対の天板３が揺動するように形成されている。そして、一方の天板３の軸ピンは、一方の梯子部の脚柱２上部に貫通装着され、他方の天板３の軸ピンは、他方の梯子部の脚柱２上部に貫通装着され、一対の梯子部が一対の天板３を介して揺動できるように形成されている。
【００１７】
前記開き止め４は、例えば、その両端部分が一対の梯子部の上段の踏み桟１に装着されて、一対の梯子部の下端がわの間隔を規制（下端がわの開き限度を規制）できるように構成されている。
【００１８】
前記ピン１０は、例えば、適宜丸棒状の鋼材を略Ｌ字状に折曲したように形成されており、踏み桟１の基板裏面に溶着されている。しかも、ピン１０の先端部分は、踏み桟１の湾曲切欠の略湾曲中心部分に配されるように構成してある。すなわち、ピン１０の先端部分を挿通孔１１に挿通し易くすると共に、挿通孔１１に一旦挿通されたピン１０の先端部分が挿通孔１１から簡単に抜けないように形成してある。
【００１９】
前記挿通孔１１は、脚柱２の所定位置に円孔を穿設することで構成され、しかも、この円孔はピン１０が合致するように形成されている。尚、挿通孔１１の形状やピン１０の断面形状は、回り止め作用が期待できる多角形であっても良い。
【００２０】
ところで、連結構造の具体的構成、形状、寸法、材質、踏み桟１の具体的構成、形状、寸法、材質、脚柱２の具体的構成、形状、寸法、材質、天板３の具体的構成、形状、寸法、材質、開き止め４の具体的構成、形状、寸法、材質、配設位置、エンドキャップ５の具体的構成、形状、寸法、材質、ピン１０の具体的構成、形状、寸法、配設位置、数、挿通孔１１の具体的構成、形状、寸法、配設位置、数等は、図示例のもの等に限定されることなく適宜自由に設定、変更できるものである。
【図面の簡単な説明】
【００２１】
【図１】本考案の連結構造を採用した脚立を例示する正面図である。
【図２】本考案の連結構造を採用した脚立を例示する側面図である。
【図３】本考案の連結構造を例示する一部切欠部分平面図である。
【図４】本考案の連結構造を例示する部分側断面図である。
【図５】本考案の連結構造を例示する一部切欠部分正面図である。
【符号の説明】
【００２２】
１      踏み桟
２      脚柱
３      天板
４      開き止め
５      エンドキャップ
１０    ピン
１１    挿通孔
【図１】
0003137892.tif 000003
【図２】
0003137892.tif 000004
【図３】
0003137892.tif 000005
【図４】
0003137892.tif 000006
【図５】
0003137892.tif 000007